(57)【要約】【課題】生放送の映像音声を再放送するときに、生放送の時に利用した本編部分のみを自動的に切り出し、放送する。【解決手段】ビデオサーバに生放送の映像音声信号を記録中に、時刻が確定する度に放送送出制御を行うコンピュータ（ＡＰＣ）から確定した本編の入り時刻を受信し、受信した本編の入り時刻とビデオサーバへの記録開始時刻の差分を計算することで、収録した映像音声データファイルの先頭を00:00:00.00と見たときの、本編のタイムコードを割り出す。生放送を再放送する時には、記録した映像音声信号の中の本編部分、ＣＭ部分のタイムコードを計算することで前記生放送の映像音声信号の本編部分のみ切り出し再放送する。【選択図】図１
2012195821.tif 000002
【特許請求の範囲】
【請求項１】
放送用の映像ファイルを収録するビデオサーバと、編集した映像ファイルデータを記録し再生した映像ファイルデータをデコードして映像信号として出力するビデオサーバとを有し、生放送の場合に中継担当者がＣＭを入れるタイミングでＣＭ切り替え釦を押すことで、生放送の映像音声信号の補助データ記録領域に第一の所定時間後にＣＭに切り替えるＣＭ入りＱ信号と呼ばれる補助データを記録し、所定数のＣＭ枠の秒数が事前に確定し、該所定数のＣＭ枠の次の本編の入り時刻が確定し、前記生放送の映像音声信号を記録し、前記本編の入り時刻が確定する度に放送送出制御を行うコンピュータから前記確定した本編の入り時刻を受信するビデオサーバシステムにおいて、
前記受信した本編の入り時刻とタイマー記録開始時刻の差分を計算することで、前記生放送の収録した映像音声データファイルの先頭を00:00:00.00とした場合の本編のタイムコードを自動的に計算し、０秒を含む第二の所定時間を減算した各本編の入り時刻とＣＭの入り時刻を計算することで、前記生放送の映像音声信号の本編部分のみ切り出し再放送することを特徴とするビデオサーバシステムの制御方法。
【発明の詳細な説明】
【技術分野】
【０００１】
本発明は、番組素材を、ビデオサーバに映像ファイルデータ形式で記録し再生しデコードしてオンエアーする方式のビデオサーバシステムに関するものである。
【背景技術】
【０００２】
テレビジョン放送業務では、従来からビデオサーバを備えたノンリニアバンクシステムを用い、ＶＴＲ(Video  Tape  Recorder）等の記録装置に記録されている番組やＣＭ等の放送素材を、ビデオサーバに記録（以下収録と省略）した上で、再生しデコードしてオンエアーして放送している（特許文献１参照）。ビデオサーバの入出力信号が非圧縮の映像信号から、圧縮された映像ファイルデータ形式となり、テープレスシステムと呼称されるようになった。
つまり、テープレスシステムでは、放送素材の映像信号をＭＰＥＧ（Moving  Picture  Experts  Group）等で動画圧縮（エンコード）し、映像ファイルデータとして収録し再生する。
【０００３】
ビデオサーバシステムの主なハードウェアは編集機やＶＴＲ等の入力ソースから素材を取り込み蓄積しておく素材（登録）サーバ、直近の送出素材を素材サーバからコピー転送し蓄積しておく送出サーバ、上位システムから制御信号を受けデコーダーを制御する送出コントローラ等で構成されている。尚、素材（登録）サーバには大容量のスペックを求められるためＨＤＤ（Hard  Disk  Drive）を用い、送出サーバにはディスクの安定性を求められるためＳＳＤ（Solid  State  Drive）を用いている。
【０００４】
ドラマなど本編素材長が既に編集の時点で確定している番組の場合、いつＣＭを入れるかを事前に確定することが可能である。しかし、スポーツ中継等の生放送では、その時点のきりが良い箇所で中継責任者がＣＭを入れるため、予めＣＭの入り時刻が確定していない。そのため、スポーツ中継等の生放送をビデオサーバに記録しておき、再放送で使用する時は、放送後に生放送時のＣＭ入り時刻をメモしておき、ビデオサーバに記録された映像音声を見ながら放送後に本編部分のみ切り出す必要があった。
【０００５】
スポーツ中継等の生放送を再放送で使用する時は、生放送の映像音声をビデオサーバに記録しておき、放送後に生放送時のＣＭ入り時刻をメモしておき、ビデオサーバに記録された映像音声を見ながら放送後に本編部分のみ切り出す必要があり、また、スポーツ中継の場合は、ＣＭ入り時刻は秒単位でバラバラであるため本編部分を切り出すのは手間となっていた。
【０００６】
スポーツ中継等の生放送では番組中の本編の数、ＣＭ枠の数は事前に確定しているが、ＣＭを入れる時刻は確定していない。例えば野球中継の場合、本編の数はイニング毎になり、ＣＭの入り時刻はイニング終了時になる。しかし、いつイニングが終了するかはわからない。
【０００７】
放送システムは放送運行データと呼ばれる一日の放送スケジュールを記録したデータに従って、放送送出制御を行うコンピュータ（ＡＰＣ：Automatic  Program  Control）が本編とＣＭを切替えて放送するが、生中継の場合、放送運行データには本編とＣＭのデータの並びのみ記載されていて、放送時刻は入力されていない。このようなイベントをアンタイムイベントと呼ぶ。
【０００８】
生放送の場合、中継担当者がＣＭを入れるタイミングでＣＭ切り替え釦を押すことで、映像音声信号の補助データ記録領域にＣＭ入りＱ信号と呼ばれる補助データが記録される。放送送出制御を行うコンピュータ（ＡＰＣ）はこの補助データを受信すると３秒後にＣＭに切り替える仕組みとなっている。また、その時点でＣＭの入り時刻が確定される。１つのＣＭ枠で何秒ＣＭを何本流すかは事前に確定しているため、ＣＭの入り時刻が確定すると、次の本編の入り時刻は自動的に確定される。
【０００９】
ビデオサーバシステムは生放送の収録開始時刻を入力しておくことで、生放送の映像音声信号を自動的にタイマー記録し、時刻が確定する度に放送送出制御を行うコンピュータ（ＡＰＣ）から確定した本編の入り時刻を受信する。
ビデオサーバシステムは記録した映像音声の任意の位置から再生するためには、ファイルの先頭のタイムコードを00:00:00.00としたタイムコードを指定する必要がある。
【先行技術文献】
【特許文献】
【００１０】
【特許文献１】特開２００９ −１１７９８９号公報
【発明の概要】
【発明が解決しようとする課題】
【００１１】
本発明は、生放送の映像音声を再放送するときに、生放送の時に利用した本編部分のみを切り出し、放送することを目的とする。
【課題を解決するための手段】
【００１２】
本発明は、上記の目的を達成するために、放送用の映像ファイルを収録するビデオサーバと、編集した映像ファイルデータを記録し再生した映像ファイルデータをデコードして映像信号として出力するビデオサーバとを有し、生放送の場合に中継担当者がＣＭを入れるタイミングでＣＭ切り替え釦を押すことで、生放送の映像音声信号の補助データ記録領域に第一の所定時間（例えば３秒）後にＣＭに切り替えるＣＭ入りＱ信号と呼ばれる補助データを記録し、所定数（例えば１つ）のＣＭ枠の秒数が事前に確定し、該所定数（例えば１つ）のＣＭ枠の次の本編の入り時刻が確定し、前記生放送の映像音声信号を記録し、前記本編の入り時刻が確定する度に放送送出制御を行うコンピュータから前記確定した本編の入り時刻を受信するビデオサーバシステムにおいて、受信した本編の入り時刻とタイマー記録開始時刻の差分を計算することで、前記生放送の収録した映像音声データファイルの先頭を00:00:00.00とした場合の本編のタイムコードを自動的に計算し、０秒を含む第二の所定時間（例えば０秒または１５秒または３０秒等のＣＭ枠の秒数の０以上の整数倍の時間）を減算した各本編の入り時刻とＣＭの入り時刻を計算することで、前記生放送の映像音声信号の本編部分のみ切り出し再放送することを特徴とするビデオサーバシステムの制御方法である。
【発明の効果】
【００１３】
以上のように本発明によれば、生放送の映像音声を再放送するときに、生放送の時に利用した本編部分のみを切り出し、放送することができる。
【図面の簡単な説明】
【００１４】
【図１】本発明の１実施例のビデオサーバシステムの構成を示すブロック図
【図２】本発明の１実施例のビデオサーバシステムのファイリグデータの模式図
【図３】本発明の１実施例のビデオサーバシステムの確定運行データの模式図
【発明を実施するための形態】
【実施例１】
【００１５】
図１は本発明の１実施例のビデオサーバシステムの構成を示すブロック図であり、図２は本発明の１実施例のビデオサーバシステムのファイリグデータの模式図であり、図３は本発明の１実施例のビデオサーバシステムの確定運行データの模式図である。
【００１６】
図１の１０１は副調整室と調整室とＳＴＬ（Studio  to  Transmitter  Link）含む中継装置、１０３はＣＭバンク機能含むビデオサーバ、１０４はデータサーバ、１０５は上位システム（データ管理システム）、１０６はＡＰＣを含むマスター設備全体の放送送出制御コンピュータである。ＣＭバンク機能含むビデオサーバ１０３には、各種の映像音声信号とＣＭ素材ファイルと中継映像音声信号とが入力されている。
１０３ビデオサーバ、１０４データサーバ、１０５上位システム、１０６放送送出制御コンピュータはネットワークにて接続されている。
【００１７】
図２は本発明の１実施例のビデオサーバシステムのファイリグデータの模式図であり、図１の１０５上位システムから送信されたファイリングデータと呼ばれる収録日、収録開始時刻、及び、その番組の本編、ＣＭの数を記したデータであり、図１の１０４データサーバが受信し管理している。
【００１８】
図１において、中継映像音声信号は１０１中継装置と１０３ビデオサーバと１０６放送送出制御コンピュータに入力されている。
図１において、１０３ビデオサーバは１０５上位システムから送信された図２ファイリングデータの収録日、収録開始時刻になったら、１０２中継映像音声信号を記録する。
【００１９】
生放送中は中継担当者が１０１中継装置の副調整室で操作している。中継担当者はＣＭの入り時刻なったら、１０１中継装置のＣＭ切り替え釦を押すことで、中継映像音声信号の補助データ記録領域にＣＭ入りＱ信号と呼ばれるアンシラリ信号の補助データが記録される。従って、Ｑ信号の発令元は１０１中継装置になる。
【００２０】
１０６放送送出コンピュータには、中継映像音声信号が入力されており、１０６放送送出コンピュータは中継映像音声信号に記録されているＣＭ入りＱ信号を検知すると、所定時間（例えば３秒）後に１０３ＣＭバンク機能含むビデオサーバを制御してＣＭを放送する。従って、Ｑ信号の受取先（検知先）は、１０６放送送出コンピュータになる。そして、ＣＭが終了すると再び生放送の映像に切り替える。
【００２１】
本編、ＣＭの入り時刻が確定する度に、１０４データサーバは１０６放送送出制御コンピュータから、本発明の１実施例のビデオサーバシステムの確定運行データの模式図の図３の確定運行データと呼ばれる本編、ＣＭの入り時刻を記録したデータを受信する。
【００２２】
１０４データサーバは図２のファイリングデータの収録開始時刻と図３の確定運行データの本編の入り時刻の差分を計算することで、１０３ビデオサーバに記録された映像音声信号ファイルの本編開始のタイムコードを自動的に計算し、本編部分を切り出す。
【００２３】
図２のファイリングデータの収録開始時刻と図３の確定運行データの各レコードの放送時刻の差分が、図２のタイムコードの値となる。
（例）  本編１のタイムコード＝19:00:00−18:55:00＝00:05:00
【００２４】
スポーツ中継等の生放送を再放送で使用する時、本編、ＣＭの入り時刻を自動計算することで、オペレーターがメモを見ながら、手動で本編部分を探す手間が省略され、本編部分の切り出し作業の効率がアップする。
また、Ｑ信号のみでＣＭ差し替えを実施すると、生放送の時と同じＣＭ枠長でしか再放送ができない。それに対し、本願の方法で本編を分割すれば、間に入れるＣＭ枠長は自由に変更可能となる。
【実施例２】
【００２５】
さらに、本願の方法で切り出した本編部分を再放送時の目安として使用し、実際の再放送ではさらに本編部分を短くして放送することも可能となる。
実施例１と実施例２と同一部分の説明は省略し、相違部分を中心に説明する。
【００２６】
実施例１と実施例２と本発明の１実施例のビデオサーバシステムの構成を示すブロック図の図１の構成と、生放送の場合の動作は同一である。
実施例２では、再放送時に、前記受信した本編の入り時刻とタイマー記録開始時刻の差分を計算することで、前記生放送の収録した映像音声データファイルの先頭を00:00:00.00とした場合の本編のタイムコードを自動的に計算し、第二の所定時間（例えば１５秒または３０秒等のＣＭ枠の秒数の自然数倍の時間）を減算または加算した各本編の入り時刻とＣＭの入り時刻を計算することで、前記生放送の映像音声信号の本編部分のみ切り出し再放送する。
【００２７】
以上のように実施例２によれば、生放送の映像音声を再放送するときに、生放送の時に利用した本編部分の任意部分または生放送の時に利用した本編部分とその前後のみを自動的に切り出し、放送することができる。
【符号の説明】
【００２８】
１０１：副調整室と調整室とＳＴＬ含む中継装置、
１０３：ＣＭバンク機能含むビデオサーバ、１０４：データサーバ、
１０５：上位システム（データ管理システム）、
１０６：ＡＰＣを含むマスター設備全体の放送送出制御コンピュータ、
【図１】
2012195821.tif 000003
【図２】
2012195821.tif 000004
【図３】
2012195821.tif 000005